【事件の表示】
　国際商標登録第７５３３７２号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲（１）のとおりの構成よりなり、第３５類、第３６類及び第３８類に属する国際登録において指定された役務を指定役務として、２０００年６月２９日付けＦｒａｎｃｅにおいてした商標登録出願に基づいて、パリ条約第４条による優先権を主張し、２０００年（平成１２年）１２月２８日を国際登録の日とするものである。
　そして、その後、指定役務については、平成１４年８月９日付けの手続補正書により、次のように補正されたものである。
第３５類「Ａｃｃｏｕｎｔｉｎｇ　ａｕｄｉｔ　ａｎｄ　ａｎａｌｙｓｉｓ　ｓｅｒｖｉｃｅｓ；ｍａｎａｇｅｍｅｎｔ　ｏｆ　ｃｏｍｐｕｔｅｒ　ｆｉｌｅｓ，ｄａｔａｂａｓｅｓ，ｄａｔａ　ｂａｎｋｓ　ａｎｄ　ｐｒｏｆｅｓｓｉｏｎａｌ　ｅｌｅｃｔｒｏｎｉｃ　ｄｉｒｅｃｔｏｒｉｅｓ　ｆｏｒ　ｂａｎｋｉｎｇ，ｆｉｎａｎｃｅ，ｍｏｎｅｔａｒｙ　ａｎｄ　ｓｔｏｃｋ　ｅｘｃｈａｎｇｅ　ｓｅｃｔｏｒｓ；ｓｅｒｖｉｃｅｓ　ｏｆ　ｓｕｂｓｃｒｉｐｔｉｏｎ　ｔｏ　ａ　ｔｅｌｅｃｏｍｍｕｎｉｃａｔｉｏｎ　ｓｅｒｖｉｃｅ　ｆｏｒ　ｔｈｅ　ｐｒｏｖｉｓｉｏｎ　ｏｆ　ｅｃｏｎｏｍｉｃ，ａｃｃｏｕｎｔｉｎｇ，ｓｔａｔｉｓｔｉｃａｌ　ａｎｄ　ｃｏｍｍｅｒｃｉａｌ　ｉｎｆｏｒｍａｔｉｏｎ　ｏｎ　ｆｉｎａｎｃｉａｌ，ｍｏｎｅｔａｒｙ　ａｎｄ　ｓｔｏｃｋ　ｅｘｃｈａｎｇｅ　ｍａｒｋｅｔｓ；ａｄｍｉｎｉｓｔｒａｔｉｖｅ　ａｎｄ　ａｃｃｏｕｎｔｉｎｇ　ｍａｎａｇｅｍｅｎｔ　ｏｆ　ｉｎｖｅｓｔｍｅｎｔ　ｉｎｃｏｍｅ，ｏｆ　ｓｔｏｃｋ　ｅｘｃｈａｎｇｅ　ｓｅｃｕｒｉｔｙ　ｐｏｒｔｆｏｌｉｏｓ，ａｄｍｉｎｉｓｔｒａｔｉｖｅ　ｍａｎａｇｅｍｅｎｔ　ｏｆ　ｐｏｒｔｆｏｌｉｏｓ　ｕｎｄｅｒ　ｍａｎｄａｔｅ；ａｃｃｏｕｎｔｉｎｇ　ｓｅｒｖｉｃｅｓ；ｔａｘ　ｄｅｃｌａｒａｔｉｏｎ　ｐｒｅｐａｒａｔｉｏｎ，ｄｒａｗｉｎｇ　ｕｐ　ｏｆ　ｓｔａｔｅｍｅｎｔｓ　ｏｆ　ａｃｃｏｕｎｔｓ，ａｃｃｏｕｎｔ　ａｕｄｉｔｉｎｇ．」、第３６類「Ｂａｎｋｉｎｇ　ｂｕｓｉｎｅｓｓ，ｓｔｏｃｋ　ｅｘｃｈａｎｇｅ　ｏｐｅｒａｔｉｏｎｓ，ｉｎｓｕｒａｎｃｅ　ｕｎｄｅｒｗｒｉｔｉｎｇ；ｆｉｎａｎｃｉａｌ　ｃｏｎｓｕｌｔｉｎｇ，ｆｉｎａｎｃｉａｌ　ｉｎｆｏｒｍａｔｉｏｎ，ａｎａｌｙｓｅｓ　ａｎｄ　ｅｓｔｉｍａｔｅｓ，ｆｉｎａｎｃｉｎｇ　ｓｅｒｖｉｃｅｓ，ｆｉｎａｎｃｉａｌ　ｏｐｅｒａｔｉｏｎｓ　ａｎｄ　ｔｒａｎｓａｃｔｉｏｎｓ；ｆｉｎａｎｃｉａｌ　ｍａｎａｇｅｍｅｎｔ，ｂａｎｋｉｎｇ　ａｎｄ　ｓｔｏｃｋ　ｅｘｃｈａｎｇｅ　ｓｅｒｖｉｃｅｓ　ａｃｃｅｓｓｉｂｌｅ　ｂｙ　ｔｅｌｅｐｈｏｎｅ　ｎｅｔｗｏｒｋｓ，ｂｙ　ｃｏｍｐｕｔｅｒ　ｃｏｍｍｕｎｉｃａｔｉｏｎ　ｎｅｔｗｏｒｋｓ；ｉｎｔｅｒｍｅｄｉａｔｉｏｎ　ｓｅｒｖｉｃｅｓ　ｏｎ　ｆｏｒｅｉｇｎ　ｃｕｒｒｅｎｃｙ　ａｎｄ　ｓｅｃｕｒｉｔｉｅｓ　ｍａｒｋｅｔｓ；ｒｅｃｅｉｐｔ，ｅｘｅｃｕｔｉｏｎ　ａｎｄ　ｔｒａｎｓｍｉｓｓｉｏｎ　ｏｆ　ｏｒｄｅｒｓ　ｆｏｒ　ｔｈｉｒｄ　ｐａｒｔｉｅｓ（ｉｓｓｕｅｒｓ　ａｎｄ　ｉｎｖｅｓｔｏｒｓ）ｏｎ　ｔｈｅ　ｆｏｒｅｉｇｎ　ｅｘｃｈａｎｇｅ　ａｎｄ　ｓｅｃｕｒｉｔｉｅｓ　ｍａｒｋｅｔｓ；ｒｅｃｅｉｐｔ，ｅｘｅｃｕｔｉｏｎ　ａｎｄ　ｔｒａｎｓｍｉｓｓｉｏｎ　ｏｆ　ｏｒｄｅｒｓ　ｆｏｒ　ｔｈｉｒｄ　ｐａｒｔｉｅｓ（ｉｓｓｕｅｒｓ　ａｎｄ　ｉｎｖｅｓｔｏｒｓ）ｏｎ　ｏｎｅ　ｏｒ　ｍｏｒｅ　ｆｉｎａｎｃｉａｌ　ｉｎｓｔｒｕｍｅｎｔｓ；ｆｉｎａｎｃｉａｌ　ｍａｎａｇｅｍｅｎｔ　ｏｆ　ｐｏｒｔｆｏｌｉｏｓ　ｕｎｄｅｒ　ｍａｎｄａｔｅ，ｆｉｎａｎｃｉａｌ　ｍａｎａｇｅｍｅｎｔ　ｏｆ　ａｓｓｅｔｓ　ｆｏｒ　ｔｈｉｒｄ　ｐａｒｔｉｅｓ；ｆｉｎａｎｃｉａｌ　ａｎａｌｙｓｉｓ　ｏｆ　ｆｏｒｅｉｇｎ　ｅｘｃｈａｎｇｅ　ａｎｄ　ｓｅｃｕｒｉｔｉｅｓ　ｍａｒｋｅｔｓ；ｉｎｆｏｒｍａｔｉｏｎ　ａｎｄ　ｃｏｎｓｕｌｔａｎｃｙ　ｓｅｒｖｉｃｅｓ　ｏｎ　ｔｈｅ　ｆｏｒｅｉｇｎ　ｅｘｃｈａｎｇｅ　ａｎｄ　ｓｅｃｕｒｉｔｉｅｓ　ｍａｒｋｅｔｓ；ｌｏｎｇ　ａｎｄ　ｓｈｏｒｔ　ｔｅｒｍ　ｆｕｎｄｓ　ｉｎｖｅｓｔｍｅｎｔ　ｓｅｒｖｉｃｅｓ；ｐｒｏｖｉｄｉｎｇ　ｉｎｆｏｒｍａｔｉｏｎ　ａｎｄ　ｃｏｎｓｕｌｔａｔｉｏｎ　ｓｅｒｖｉｃｅｓ　ａｂｏｕｔ　ｌｏｎｇ　ｔｅｒｍ　ｏｒ　ｓｈｏｒｔ　ｔｅｒｍ　ｆｕｎｄｓ　ｉｎｖｅｓｔｍｅｎｔ；ｍａｎａｇｅｍｅｎｔ　ｏｆ　ｉｎｖｅｓｔｍｅｎｔ　ｉｎｃｏｍｅ，ｍｕｔｕａｌ　ｆｕｎｄｓ，ｐｕｂｌｉｃ　ｍｕｔｕａｌ　ｆｕｎｄｓ，ａｎｄ　ｏｐｅｎ−ｅｎｄ　ｉｎｖｅｓｔｍｅｎｔ　ｃｏｍｐａｎｙ　ｐｏｒｔｆｏｌｉｏｓ；ｅｘｃｈａｎｇｅ　ａｇｅｎｃｉｅｓ，ｄｅｐｏｓｉｔ　ｏｆ　ｖａｌｕａｂｌｅｓ，ｄｅｐｏｓｉｔｓ　ｉｎ　ｓａｆｅｓ；ｆｉｎａｎｃｉａｌ　ｍａｎａｇｅｍｅｎｔ；ｉｓｓｕｅ　ｏｆ　ｔｏｋｅｎｓ　ｏｆ　ｖａｌｕｅ，ｌｅｔｔｅｒｓ　ｏｆ　ｃｒｅｄｉｔ　ａｎｄ　ｔｒａｖｅｌｅｒｓ’ｃｈｅｃｋｓ；ｄｅｂｉｔ　ａｎｄ　ｃｒｅｄｉｔ　ｃａｒｄ　ｓｅｒｖｉｃｅｓ；ｃｒｅｄｉｔ　ｓｅｒｖｉｃｅｓ，ｌｅａｓｅ−ｐｕｒｃｈａｓｅ　ｆｉｎａｎｃｉｎｇ，ｐｌｅｄｇｅ　ｌｏａｎｓ，ｃｏｌｌａｔｅｒａｌ　ｌｏａｎｓ，ｓｕｒｅｔｙ　ｓｅｒｖｉｃｅｓ；ｄｅｂｔ　ｃｏｌｌｅｃｔｉｏｎ；ｓａｖｉｎｇｓ　ｂａｎｋｓ；ｍａｎａｇｅｍｅｎｔ　ｏｆ　ｒｅａｌ　ｅｓｔａｔｅ　ｏｒ　ｏｔｈｅｒ　ｈｏｌｄｉｎｇｓ　ａｎｄ　ｏｆ　ａｓｓｅｔｓ；ｍａｎａｇｅｍｅｎｔ　ｏｆ　ｓｔｏｃｋ　ｍａｒｋｅｔ　ｐｏｒｔｆｏｌｉｏｓ；ｆｉｎａｎｃｉａｌ　ａｎａｌｙｓｉｓ　ａｎｄ　ａｕｄｉｔ　ｓｅｒｖｉｃｅｓ　ｗｉｔｈ　ａ　ｖｉｅｗ　ｔｏ　ｉｍｐｌｅｍｅｎｔｉｎｇ　ｐｅｒｓｏｎａｌｉｚｅｄ　ｆｉｎａｎｃｉａｌ　ｐｒｏｄｕｃｔｓ　ｏｆｆｅｒｉｎｇ　ｆｉｎａｎｃｉｎｇ　ｐａｃｋａｇｅｓ　ａｄａｐｔｅｄ　ｔｏ　ｔｈｅ　ｎｅｅｄｓ　ｏｆ　ｉｎｖｅｓｔｏｒｓ；ｉｎｆｏｒｍａｔｉｏｎ　ａｎｄ　ｃｏｎｓｕｌｔａｎｃｙ　ｓｅｒｖｉｃｅｓ　ｏｎ　ｉｎｖｅｓｔｍｅｎｔ　ｉｎｃｏｍｅ，ｓｔｏｃｋ　ｅｘｃｈａｎｇｅ　ｉｎｆｏｒｍａｔｉｏｎ　ａｎｄ　ａｄｖｉｓｏｒｙ　ｓｅｒｖｉｃｅｓ，ｉｎｆｏｒｍａｔｉｏｎ　ｓｅｒｖｉｃｅｓ　ｏｎ　ｆｉｎａｎｃｉａｌ，ｍｏｎｅｔａｒｙ　ａｎｄ　ｓｔｏｃｋ　ｅｘｃｈａｎｇｅ　ｍａｒｋｅｔｓ；ｆｉｎａｎｃｉａｌ　ａｎａｌｙｓｉｓ，ａｓｓｅｓｓｍｅｎｔｓ，ｅｓｔｉｍａｔｅｓ，ｅｖａｌｕａｔｉｏｎｓ，ｖｅｒｉｆｉｃａｔｉｏｎｓ，ｆｏｒｅｃａｓｔｓ，ｃｏｎｓｕｌｔｉｎｇ，ａｄｖｉｃｅ　ａｎｄ　ａｕｄｉｔｉｎｇ；ｉｎｆｏｒｍａｔｉｏｎ　ａｎｄ　ｃｏｎｓｕｌｔａｎｃｙ　ｓｅｒｖｉｃｅｓ　ｏｎ　ｓｅｃｕｒｉｔｉｅｓ　ｍａｒｋｅｔｓ；ｓｔｏｃｋ　ｍａｒｋｅｔ　ｂｒｏｋｅｒａｇｅ；ｆｉｎａｎｃｉａｌ　ｔｒａｎｓａｃｔｉｏｎｓ；ｏｐｅｒａｔｉｏｎｓ　ａｎｄ　ｔｒａｎｓａｃｔｉｏｎｓ　ｏｎ　ｆｉｎａｎｃｉａｌ　ｍａｒｋｅｔｓ；ｂａｎｋｉｎｇ　ａｎｄ　ｓｔｏｃｋ　ｅｘｃｈａｎｇｅ　ｏｒｄｅｒｉｎｇ　ｓｅｒｖｉｃｅｓ；ｓｔｏｃｋ　ｍａｒｋｅｔ　ｌｉｓｔｉｎｇ　ｓｅｒｖｉｃｅｓ，ｆｉｎａｎｃｉａｌ　ｓｅｒｖｉｃｅｓ　ｉｎ　ｃｏｎｎｅｃｔｉｏｎ　ｗｉｔｈ　ｐｒｉｖａｔｉｚａｔｉｏｎｓ　ａｎｄ　ｃａｐｉｔａｌ　ｉｎｃｒｅａｓｅｓ；ｉｓｓｕａｎｃｅ　ｏｆ　ｌｏａｎｓ　ｉｎｄｅｘｅｄ　ｏｎ　ｓｈａｒｅｓ，ｉｓｓｕａｎｃｅ　ｏｆ　ｂｏｎｄｓ　ｉｎｄｅｘｅｄ　ｏｎ　ｓｈａｒｅｓ　ａｎｄ　ｆｉｎａｎｃｉａｌ　ａｎｄ　ｓｔｏｃｋ　ｍａｒｋｅｔ　ｉｎｄｉｃｅｓ；ｆｉｎａｎｃｉａｌ，ｍｏｎｅｔａｒｙ　ａｎｄ　ｓｔｏｃｋ　ｅｘｃｈａｎｇｅ　ｓｅｒｖｉｃｅｓ　ｉｎ　ｃｏｎｎｅｃｔｉｏｎ　ｗｉｔｈ　ｔｈｅ　ｃｏｎｖｅｒｔｉｂｌｅ　ｂｏｎｄ　ｍａｒｋｅｔｓ；ｅｌｅｃｔｒｏｎｉｃ　ｆｕｎｄｓ　ｔｒａｎｓｆｅｒ，ｅｌｅｃｔｒｏｎｉｃ　ｆｕｎｄｓ　ｔｒａｎｓｆｅｒ　ｏｎ　ｃｏｍｐｕｔｅｒ　ｃｏｍｍｕｎｉｃａｔｉｏｎ　ｎｅｔｗｏｒｋｓ；ｃｏｎｓｕｌｔａｔｉｏｎ　ａｂｏｕｔ　ｔｈｅ　ｓｔｏｃｋ　ｍａｒｋｅｔ　ａｎｄ　ｉｎｖｅｓｔｍｅｎｔ　ｓｅｃｕｒｉｔｉｅｓ　ｍａｒｋｅｔ，ｃａｓｈ　ａｎｄ　ｆｏｒｅｉｇｎ　ｅｘｃｈａｎｇｅ　ｔｒａｎｓａｃｔｉｏｎｓ，ｏｆｆｓｅｔｔｉｎｇ　ｔｒａｎｓａｃｔｉｏｎｓ；ｓｔｏｃｋ　ｅｘｃｈａｎｇｅ　ｑｕｏｔａｔｉｏｎｓ；ｆｉｎａｎｃｉａｌ，ｂａｎｋｉｎｇ　ａｎｄ　ｍｏｎｅｔａｒｙ　ｉｎｆｏｒｍａｔｉｏｎ　ｏｎ　ｔｈｅ　ｆｏｒｅｉｇｎ　ｅｘｃｈａｎｇｅ　ａｎｄ　ｓｅｃｕｒｉｔｉｅｓ　ｍａｒｋｅｔｓ　ａｃｃｅｓｓｉｂｌｅ　ｐａｒｔｉｃｕｌａｒｌｙ　ｖｉａ　ｃｏｍｐｕｔｅｒ　ｃｏｍｍｕｎｉｃａｔｉｏｎ　ｍｅａｎｓ，ｂｙ　ｃｏｍｐｕｔｅｒ　ｎｅｔｗｏｒｋｓ，ｔｈｅ　Ｉｎｔｅｒｎｅｔ，Ｉｎｔｒａｎｅｔ　ｏｒ　Ｅｘｔｒａｎｅｔ．」及び第３８類「Ｔｅｌｅｃｏｍｍｕｎｉｃａｔｉｏｎ　ｓｅｒｖｉｃｅｓ；ｔｅｌｅｍａｔｉｃ，ｔｅｌｅｐｈｏｎｅ　ａｎｄ　ｃｏｍｐｕｔｅｒ　ｃｏｍｍｕｎｉｃａｔｉｏｎｓ；ｉｎｆｏｒｍａｔｉｏｎ　ｔｒａｎｓｍｉｓｓｉｏｎ　ｖｉａ　ｏｎ−ｌｉｎｅ　ｄａｔａ　ａｎｄ　ｉｎｆｏｒｍａｔｉｏｎ　ｔｒａｎｓｍｉｓｓｉｏｎ　ｎｅｔｗｏｒｋｓ；ｐｒｏｖｉｓｉｏｎ　ｏｆ　ａｃｃｅｓｓ　ｔｏ　ｄａｔａｂａｓｅｓ　ａｎｄ　ｃｏｍｐｕｔｅｒ　ｏｒ　ｄａｔａ　ｃｏｍｍｕｎｉｃａｔｉｏｎ　ｄａｔａｂａｓｅ　ｃｅｎｔｒａｌ　ｓｅｒｖｉｃｅｓ　ｉｎ　ｔｈｅ　ｂａｎｋｉｎｇ，ｆｉｎａｎｃｉａｌ，ｍｏｎｅｔａｒｙ　ｏｒ　ｓｔｏｃｋ　ｅｘｃｈａｎｇｅ　ｓｅｃｔｏｒｓ；ｔｒａｎｓｍｉｓｓｉｏｎ　ａｎｄ　ｅｘｃｈａｎｇｅ　ｏｆ　ｄａｔａ，ｉｎｆｏｒｍａｔｉｏｎ，ｍｅｓｓａｇｅｓ，ｓｉｇｎａｌｓ　ａｎｄ　ｃｏｄｅｄ　ｉｍａｇｅｓ　ｖｉａ　ｔｈｅ　Ｉｎｔｅｒｎｅｔ，Ｉｎｔｒａｎｅｔ　ｏｒ　Ｅｘｔｒａｎｅｔ　ｒｅｌａｔｉｎｇ　ｔｏ　ｆｏｒｅｉｇｎ　ｅｘｃｈａｎｇｅ　ａｎｄ　ｓｅｃｕｒｉｔｉｅｓ　ｍａｒｋｅｔｓ　ａｎｄ　ｉｎ　ｔｈｅ　ｂａｎｋｉｎｇ，ｆｉｎａｎｃｉａｌ，ｍｏｎｅｔａｒｙ　ｏｒ　ｓｔｏｃｋ　ｅｘｃｈａｎｇｅ　ｓｅｃｔｏｒｓ；ｓｅｒｖｉｃｅｓ　ｏｆ　ｔｒａｎｓｍｉｓｓｉｏｎ　ａｎｄ　ｅｘｃｈａｎｇｅ　ｏｆ　ｄａｔａ，ｍｅｓｓａｇｅｓ　ａｎｄ　ｉｎｆｏｒｍａｔｉｏｎ　ｃｏｎｃｅｒｎｉｎｇ　ｂａｎｋｉｎｇ　ａｎｄ　ｓｔｏｃｋ　ｅｘｃｈａｎｇｅ　ｏｒｄｅｒｉｎｇ，ｓｔｏｃｋ　ｅｘｃｈａｎｇｅ　ｐｏｒｔｆｏｌｉｏ　ｍａｎａｇｅｍｅｎｔ　ａｎｄ　ｉｎｖｅｓｔｍｅｎｔ　ｉｎｃｏｍｅ　ｍａｎａｇｅｍｅｎｔ，ｂｙ　ｅｌｅｃｔｒｏｎｉｃ，ｄａｔａ　ｃｏｍｍｕｎｉｃａｔｉｏｎ　ａｎｄ　ｃｏｍｐｕｔｅｒ　ｍｅａｎｓ　ａｎｄ　ｖｉａ　ｔｈｅ　Ｉｎｔｅｒｎｅｔ，Ｉｎｔｒａｎｅｔ　ｏｒ　Ｅｘｔｒａｎｅｔ；ｔｒａｎｓｍｉｓｓｉｏｎ　ａｎｄ　ｅｘｃｈａｎｇｅ　ｏｆ　ｃｏｍｍｅｒｃｉａｌ，ｅｃｏｎｏｍｉｃ，ａｃｃｏｕｎｔｉｎｇ，ｓｔａｔｉｓｔｉｃａｌ，ｆｉｎａｎｃｉａｌ　ａｎｄ　ｓｔｏｃｋ　ｅｘｃｈａｎｇｅ　ｄａｔａ　ａｎｄ　ｉｎｆｏｒｍａｔｉｏｎ　ｂｙ　ｅｌｅｃｔｒｏｎｉｃ，ｄａｔａ　ｃｏｍｍｕｎｉｃａｔｉｏｎ　ａｎｄ　ｃｏｍｐｕｔｅｒ　ｍｅａｎｓ　ａｎｄ　ｖｉａ　ｔｈｅ　Ｉｎｔｅｒｎｅｔ，Ｉｎｔｒａｎｅｔ　ｏｒ　Ｅｘｔｒａｎｅｔ；ｓｅｔｔｉｎｇ　ｕｐ，ｄｅｖｅｌｏｐｍｅｎｔ　ａｎｄ　ｍａｎａｇｅｍｅｎｔ　ｏｆ　ｏｎ−ｌｉｎｅ　ｓｅｒｖｉｃｅｓ　ｏｎ　ｎｅｔｗｏｒｋｓ　ａｎｄ　ｉｎｆｏｒｍａｔｉｏｎ　ａｎｄ　ｔｅｌｅｃｏｍｍｕｎｉｃａｔｉｏｎ　ｓｙｓｔｅｍｓ．」
２　原査定の拒絶の理由（要点）
　原査定は、本願商標が商標法第４条第１項第１１号に該当するとして、別掲（２）に示した登録第３３３１９３６号商標（以下「引用商標」という。）を引用し、本願商標と引用商標とは、共に図形部分も独立して自他商品の識別標識としての機能を有するところ、両商標の図形部分は、全体として極めて酷似したものであって、その構成の軌を一にするものであるから、これを時と処を異にして観察する場合は、外観において相紛れるおそれのある商標である、旨認定、判断して、本願を拒絶したものである。
３　当審の判断
　原査定において、本願商標の拒絶の理由に引用した登録商標の商標権は、商標登録原簿の記載に徴すれば、取消審判（２００４−３０９５２）により、平成１７年７月１２日付けで商標登録を取り消すべき旨の審決がなされ、その確定審決の登録が同年１２月１６日付けでなされているものである。
　したがって、本願商標が商標法第４条第１項第１１号に該当するとして本願を拒絶した原査定の拒絶の理由は解消した。
　その他、政令で定める期間内に本願について拒絶の理由を発見しない。
　よって、結論のとおり審決する。